(57)【要約】【課題】全体が一体的な構造体の洗濯機用台座は、大型化するため製造しにくい。【解決手段】洗濯機用台座（３）は、洗濯機用台座（３）に載せられた状態の洗濯機（１）に対し、前後方向に沿って延在する第１部材（２７，２９）と、左右方向に沿って延在する第２部材（２３，２５）と、を備える。第１部材（２７，２９）と、第２部材（２３，２５）とは、上下方向に互いに当接する上下当接部にて上下締結具（３３）により固定され、水平方向に互いに当接する水平当接部にて水平締結具（４９）により固定される。【選択図】図３
2020089610.tif 000002
【特許請求の範囲】
【請求項１】
洗濯機が載せられる洗濯機用台座であって、
前記洗濯機用台座に載せられた状態の前記洗濯機の前後方向に沿って延在する第１部材と、
前記洗濯機用台座に載せられた状態の前記洗濯機の左右方向に沿って延在する第２部材と、
前記第１部材と前記第２部材とが、互いに組付けられた状態で上下方向に当接する上下当接部と、
前記第１部材と前記第２部材とが、互いに組付けられた状態で水平方向に当接する水平当接部と、を備え、
前記第１部材と前記第２部材とは、前記上下当接部において上下締結具により締結固定されると共に、前記水平当接部において水平締結具により締結固定されている洗濯機用台座。
【請求項２】
前記第１部材と前記第２部材とのいずれか一方が樹脂製であり、いずれか他方が金属製である請求項１に記載の洗濯機用台座。
【請求項３】
前記第１部材は互いに同形状のものが左右両側に一対設けられ、前記第２部材は互いに同形状のものが前後両側に一対設けられている請求項１または２に記載の洗濯機用台座。
【請求項４】
前記第１部材と前記第２部材とのいずれかは、当該洗濯機用台座を設置部に設置したときに形成される、前記設置部との間の間隙が、前記洗濯機から引き出される排水ホースの外径よりも大きい請求項１ないし３のいずれか１項に記載の洗濯機用台座。
【請求項５】
前記第１部材と前記第２部材とのいずれかは、外周側の側部に、使用者の手指が入り込む凹部が形成され、前記凹部は、前記手指を下方から上方に向けて移動させたときに引っ掛かる引っ掛かり部と、前記手指が内方へ侵入するのを抑える侵入抑止部と、を備える請求項１ないし４のいずれか１項に記載の洗濯機用台座。
【請求項６】
前記第１部材と前記第２部材のうち前側に位置する部材の前面に前カバーが取り付けられ、前記前カバーは、前記前側に位置する部材の上部と下部とのいずれか一方に係止する係止爪と、いずれか他方に締結具により締結固定する固定部と、を備える請求項１ないし５のいずれか１項に記載の洗濯機用台座。
【請求項７】
前記第１部材と前記第２部材とのいずれかは、外周側の上端に、前記洗濯機が載置される載置面から上方に向けて突出する縁部が形成されている請求項１ないし６のいずれか１項に記載の洗濯機用台座。
【発明の詳細な説明】
【技術分野】
【０００１】
本実施の形態は、洗濯機を載せるための洗濯機用台座に関する。
【背景技術】
【０００２】
洗濯機用台座は、洗濯機の高さを確保するために使用されることがある。この場合、洗濯物の投入口（取出口）が、使用者にとって低すぎると感じるときに、洗濯機用台座を使用することによって、利便性が高まる。
【先行技術文献】
【特許文献】
【０００３】
【特許文献１】特開２０１０−５７９６９号公報
【発明の概要】
【発明が解決しようとする課題】
【０００４】
全体が一体的な構造の洗濯機用台座は、大型化するため製造しにくい。
【０００５】
本発明は、このような従来技術の有する課題に鑑みてなされたものである。そして、本発明の目的は、洗濯機用台座として製造しやすいものとすることにある。
【課題を解決するための手段】
【０００６】
上記課題を解決するために、本発明の第一の態様に係わる洗濯機用台座は、洗濯機が載せられる洗濯機用台座であって、前記洗濯機用台座に載せられた状態の前記洗濯機の前後方向に沿って延在する第１部材と、前記洗濯機用台座に載せられた状態の前記洗濯機の左右方向に沿って延在する第２部材と、前記第１部材と前記第２部材とが、互いに組付けられた状態で上下方向に当接する上下当接部と、前記第１部材と前記第２部材とが、互いに組付けられた状態で水平方向に当接する水平当接部と、を備え、前記第１部材と前記第２部材とは、前記上下当接部において上下締結具により締結固定されると共に、前記水平当接部において水平締結具により締結固定されている。
【０００７】
本発明の第二の態様に係る洗濯機用台座は、第一の態様の洗濯機用台座において、前記第１部材と前記第２部材とのいずれか一方が樹脂製であり、いずれか他方が金属製である。
【０００８】
本発明の第三の態様に係る洗濯機用台座は、第一または第二の態様の洗濯機用台座において、前記第１部材は互いに同形状のものが左右両側に一対設けられ、前記第２部材は互いに同形状のものが前後両側に一対設けられている。
【０００９】
本発明の第四の態様に係る洗濯機用台座は、第一ないし第三のいずれか一つの態様の洗濯機用台座において、前記第１部材と前記第２部材とのいずれかは、当該洗濯機用台座を設置部に設置したときに形成される、前記設置部との間の間隙が、前記洗濯機から引き出される排水ホースの外径よりも大きい。
【００１０】
本発明の第五の態様に係る洗濯機用台座は、第一ないし第四のいずれか一つの態様の洗濯機用台座において、前記第１部材と前記第２部材とのいずれかは、外周側の側部に、使用者の手指が入り込む凹部が形成されている。前記凹部は、前記手指を下方から上方に向けて移動させたときに引っ掛かる引っ掛かり部と、前記手指が内方へ侵入するのを抑える侵入抑止部と、を備える。
【００１１】
本発明の第六の態様に係る洗濯機用台座は、第一ないし第五のいずれか一つの態様の洗濯機用台座において、前記第１部材と前記第２部材のうち前側に位置する部材の前面に前カバーが取り付けられ、前記前カバーは、前記前側に位置する部材の上部と下部とのいずれか一方に係止する係止爪と、いずれか他方に締結具により締結固定する固定部と、を備える。
【００１２】
本発明の第七の態様に係る洗濯機用台座は、第一ないし第六のいずれか一つの態様の洗濯機用台座において、前記第１部材と前記第２部材とのいずれかは、外周側の上端に、前記洗濯機が載置される載置面から上方に向けて突出する縁部が形成されている。
【発明の効果】
【００１３】
本発明によれば、第１部材及び第２部材をより小さな部材としてそれぞれ個別に成形できるので、全体が一体的でより大きな構造体の洗濯機用台座に比較して、製造が容易となる。
【図面の簡単な説明】
【００１４】
【図１】実施形態に係る洗濯機用台座に洗濯機を載せた状態を示す斜視図である。
【図２】図１の洗濯機用台座の斜視図である。
【図３】図２の洗濯機用台座の分解斜視図である。
【図４】図２の洗濯機用台座を裏側から見た斜視図である。
【図５】図２の洗濯機用台座の後方から見た背面図である。
【図６】図２の洗濯機用台座に取り付けられる調整脚の断面図である。
【発明を実施するための形態】
【００１５】
以下、本実施形態に係る洗濯機用台座について詳細に説明する。なお、図面の寸法比率は説明の都合上誇張されており、実際の比率とは異なる場合がある。
【００１６】
図１は、洗濯機の一例としてドラム式の洗濯機１を洗濯機用台座３の上に載せた状態を示している。なお、以下の説明での「前後方向」は、図１における洗濯機１の前面側を前、後面側を後とした前後方向であり、「左右方向」は図１中の洗濯機１の前面側から見て左右方向である。
【００１７】
洗濯機１は、前面５、後面７、左右の側面９，１０、上面１１及び下面１３を備え、縦長のほぼ直方体形状である。前面５のほぼ中央には、円形の扉１５が取り付けられている。扉１５は、例えば正面から見て左側の端部に設けたヒンジによって、洗濯機本体に対して左右に開閉する。扉１５の右側の端部には、扉１５を図１のように閉じたときに、洗濯機本体に対してロックされるロック機構が設けられている。
【００１８】
前面５の上部には、操作パネル部１７が設けられている。操作パネル部１７は、扉１５の上方に位置している。操作パネル部１７は、図示していないが、電源スイッチ、洗濯モード等を選択するためのスイッチ、表示部等が設けられている。
【００１９】
洗濯機用台座３は、図２に示すように、平面視で矩形の枠形状をした台座本体１９と、台座本体１９の前面側（図２中で左側）に取り付けられる前カバー２１とを備えている。台座本体１９は、図３に示すように、前カバー２１に対応して前面側に位置する前部材２３と、前カバー２１と反対側の後面側に位置する後部材２５とを備えている。前部材２３及び後部材２５は、互いに同一形状であって、金属製である。
【００２０】
台座本体１９は、前カバー２１側から見て、左側に位置する左部材２７及び、右側に位置する右部材２９を備えている。左部材２７及び右部材２９は、互いに同一形状であって、樹脂により一体成形されている。
【００２１】
左部材２７及び右部材２９は、洗濯機用台座３に洗濯機１が載せられた状態で、洗濯機１の前後方向に沿って延在する第１部材を構成している。前部材２３及び後部材２５は、洗濯機用台座３に洗濯機１が載せられた状態で、洗濯機１の左右方向に沿って延在する第２部材を構成している。
【００２２】
次に、前部材２３及び後部材２５について説明する。
【００２３】
前述したように、前部材２３及び後部材２５は互いに同一形状であるため、代表して前部材２３を用いて説明する。後部材２５には、前部材２３と同一部位に同様の符号を付すことにする。前部材２３は、１枚の金属板、例えば鋼鈑をプレス成形によって折り曲げている。前部材２３は、左右方向に長い天板３１を備えている。天板３１は長手方向（左右方向）の両端部に、左部材２７及び後部材２５の上に載置されて固定される固定部３１ａを備えている。
【００２４】
固定部３１ａには、周囲四箇所にねじ挿入孔３１ａｈを形成してある。上下締結具としての皿ねじ３３を、ねじ挿入孔３１ａｈに挿入し、左部材２７及び後部材２５の上面に形成してあるねじ孔３５に締結する。ねじ孔３５は、後述する格子状リブ７３の交差部に形成されている。固定部３１ａの下面と格子状リブ７３の上端面に対応する被固定部７１とが、上下方向に互いに当接する上下当接部を構成する。
【００２５】
天板３１は、左右の固定部３１ａ相互間の前側縁及び後側縁から、それぞれ下方に向けて屈曲する前屈曲部３７及び後屈曲部３９が形成される。天板３１は、前屈曲部３７の長手方向（左右方向）の端部から、後屈曲部３９に向けてそれぞれ屈曲する左屈曲部４１（図４）及び右屈曲部４３（図３）が形成されている。天板３１は、後屈曲部３９の長手方向（左右方向）の端部から、前屈曲部３７に向けてそれぞれ屈曲する左屈曲部４５（図４）及び右屈曲部４７（図３）が形成されている。
【００２６】
左屈曲部４１，４５は、前後方向の長さが互いに同等であり、前屈曲部３７と後屈曲部３９との間の中間位置で近接している。右屈曲部４３，４７は、前後方向の長さが互いに同等であり、前屈曲部３７と後屈曲部３９との間の中間位置で近接している。
【００２７】
左屈曲部４１，４５には、それぞれ二つのねじ挿入孔４１ｈ，４５ｈが形成されている。図４に示すように、左屈曲部４１，４５を左部材２７の内側壁６３に当接させた状態で、ねじ挿入孔４１ｈ，４５ｈにねじ４９を挿入し、左部材２７の内側壁６３に形成してあるねじ孔５１，５３に締結する。右屈曲部４３，４７には、それぞれ二つのねじ挿入孔４３ｈ，４７ｈが形成されている。右屈曲部４３，４７を右部材２９の内側壁６３に当接させた状態で、ねじ挿入孔４３ｈ，４７ｈにねじ４９を、挿入し、右部材２９の内側壁６３に形成してあるねじ孔５５，５７に締結する。
【００２８】
前部材２３の左屈曲部４１，４５と左部材２７の内側壁６３とが、左右方向の水平方向に互いに当接する水平当接部を構成する。前部材２３の右屈曲部４３，４７と右部材２９の内側壁６３とが、左右方向の水平方向に互いに当接する水平当接部を構成する。ねじ４９は水平締結具を構成する。
【００２９】
前部材２３及び後部材２５は、天板３１、前屈曲部３７及び後屈曲部３９、左屈曲部４１，４５及び右屈曲部４３，４７を有することによって、図４に示すように、下部が開口している。
【００３０】
次に、左部材２７及び右部材２９について説明する。
【００３１】
前述したように、左部材２７及び右部材２９は互いに同一形状であるため、代表して左部材２７を用いて説明する。右部材２９には、左部材２７と同一部位に同様の符号を付すことにする。左部材２７は、上壁５９、外側壁６１、内側壁６３、前壁６５及び後壁６７を備えている。左部材２７は、前後方向に長いほぼ直方体形状であり、図４に示すように下部が開放している。
【００３２】
左部材２７の上面には、前後方向両端部に、前部材２３及び後部材２５の固定部３１ａが載置される被固定部７１が形成されている。上壁５９は、前後両端の被固定部７１を除く前後方向の中央に形成されている。外側壁６１、前壁６５及び後壁６７のそれぞれの上端面６１ａ，６５ａ，６７ａは、互いに同一面を構成していて、上壁５９の上面よりも上方に僅かに突出する縁部を構成している。
【００３３】
左部材２７は、被固定部７１に対応する部位に、平面視で格子状となる格子状リブ７３が設けられている。格子状リブ７３は、左部材２７の上下方向のほぼ全域に形成されている。格子状リブ７３の上端面は、上壁５９の上面よりも、固定部３１ａの板厚分低い位置にある。すなわち、固定部３１ａを被固定部７１に載せた状態では、固定部３１ａの上面と上壁５９の上面とがほぼ同一面となる。この同一面となる固定部３１ａ及び上壁５９の各上面は、外側壁６１、前壁６５及び後壁６７のそれぞれの上端面６１ａ，６５ａ，６７ａよりも僅かに低い位置となる。
【００３４】
格子状リブ７３の中央には、円形の孔７５が上下方向に貫通している。孔７５の上下方向ほぼ中央位置には、図３に示すようにナット７７が埋め込まれている。ナット７７には、後述する調整脚７９がねじ込まれて取り付けられる。
【００３５】
左部材２７は、被固定部７１に対応する部位の上下方向ほぼ中央位置に、図示しない水平な隔壁を設けてあり、隔壁の上下両側に格子状リブ７３が形成されている。また、隔壁より下側には、図４に示すように、円形の孔７５を中心とした円筒形状のリブ８１が形成されている。円筒形状のリブ８１と孔７５との間にも、孔７５を中心とした放射状のリブ８３が形成されている。
【００３６】
左部材２７は、外側壁６１及び内側壁６３の下端が切り欠かれた切欠部６１ｂ及び６３ｂが形成されている。切欠部６１ｂ及び６３ｂは、前後方向長さが上壁５９の前後方向長さとほぼ同等であり、上下方向長さは、外側壁６１及び内側壁６３の上下方向長さのほぼ半分程度である。切欠部６１ｂ及び６３ｂの前後両端の角部６１ｂ１，６３ｂ１は、凹状の円弧形状となっている。
【００３７】
使用者は、左部材２７及び右部材２９の外側の各切欠部６１ｂに手指を引っ掛けて持ち上げることで、洗濯機用台座３を、単独で、あるいは洗濯機１を載せた状態で、移動させることができる。したがって、切欠部６１ｂは、手指を下方から上方に向けて移動させたときに引っ掛かる引っ掛かり部を構成している。
【００３８】
図４に示すように、左部材２７は、格子状リブ７３が設けられた部位と、切欠部６１ｂ，６３ｂが設けられた部位との間に、縦壁８５が形成されている。すなわち、格子状リブ７３は、縦壁８５と、外側壁６１と、内側壁６３と、前壁６５または後壁６７とに囲まれた直方体形状の領域内に形成されている。
【００３９】
左部材２７の内部において、前後の各縦壁８５相互をつなぐようにして、前後方向に延在する内部壁８７が形成されている。内部壁８７は、左部材２７の外側壁６１と内側壁６３との間で、外側壁６１寄りに位置している。内部壁８７の下端は、縦壁８５、前壁６５及び後壁６７の下端とほぼ同じ位置か少し上側に位置している。
【００４０】
内部壁８７は、左部材２７及び右部材２９を、左右方向の外側から見たときに、左部材２７と右部材２９との間の空間内部が見えないように覆っている。その際、内部壁８７は、手指が内側壁６３側の内方へ入り込むのを抑える役目を果たす。したがって、内部壁８７は、手指が内方へ侵入するのを抑える侵入抑止部を構成している。
【００４１】
外側壁６１に形成した切欠部６１ｂと内部壁８７とによって、左部材２７及び右部材２９の外周側の側部に形成された、使用者の手指が入り込む凹部を構成している。内部壁８７と外側壁６１との間には、複数のリブ８９が形成されている。内部壁８７と内側壁６３との間には複数のリブ９１が形成されている。
【００４２】
次に、前カバー２１について説明する。
【００４３】
前カバー２１は、台座本体１９の前面側をほぼ覆うように、正面視で左右方向に長いほぼ長方形状となっている。前カバー２１はカバー前面９３を有し、カバー前面９３は、左右方向中央が左右方向両端部よりも前方に突出するように、左右方向に沿って凸曲面状に湾曲している。
【００４４】
前カバー２１は、カバー前面９３の周囲四方の外周縁から後方に突出する、上縁部９５、下縁部９７、左縁部９９及び右縁部１０１を備えている。上縁部９５と左縁部９９との間の角部付近及び、上縁部９５と右縁部１０１との間の角部付近には、カバー前面９３の裏側から後方に突出する係止爪１０３が形成されている。係止爪１０３の爪部は下方に向けて突出している。
【００４５】
下縁部９７の後端縁からは下方に向けて屈曲する平板部１０５が形成されている。平板部１０５の左右方向両端付近には、下端から上方に向けて切り欠かれた逆Ｕ字形状のねじ挿入凹部１０５ａが形成されている。ねじ挿入凹部１０５ａに対応して左部材２７及び右部材２９の前壁６５には、ねじ孔６５ｂが形成されている。上縁部９５、下縁部９７、左縁部９９及び右縁部１０１のそれぞれの後端面と、平板部１０５の後面とは互いに同一面となっている。
【００４６】
前カバー２１は、図２に示すように、係止爪１０３が、左部材２７及び右部材２９の前壁６５の上端面６５ａに係止される。係止爪１０３を上端面６５ａに係止した状態で、ねじ挿入凹部１０５ａがねじ孔６５ｂに整合する。この状態で、締結具としてのねじ１０７を、固定部としてのねじ挿入凹部１０５ａに挿入し、ねじ孔６５ｂにねじ込むことで、前カバー２１は台座本体１９に取り付けられる。前カバー２１は、ねじ１０７を取り外すことなく、緩めるだけで、上方に持ち上げて台座本体１９から取り外すことができる。
【００４７】
図２、図５に示すように、前カバー２１は、台座本体１９に取り付けた状態で、上端面（上縁部９５）が台座本体１９より上方に突出する。この突出した部分の前カバー２１によって、台座本体１９と洗濯機１の本体との間の隙間Ｓが覆われる。これにより、洗濯機１を台座本体１９に載せたときの前側からの外観品質が向上する。図５に示すように、前カバー２１の下端２１ａ（平板部１０５の下端）は、左部材２７及び右部材２９の下端と同一位置にある。
【００４８】
図４に示すように、前部材２３及び後部材２５の上下方向の高さ寸法Ａは、左部材２７及び右部材２９の上下方向の高さ寸法Ｂよりも小さい（Ａ＜Ｂ）。このとき、前部材２３及び後部材２５の下端１０９と、洗濯機用台座３を設置する設置部１１１との間の間隙Ｃに、洗濯機１の排水ホースＨを通すことができるように、高さ寸法Ａ、Ｂを設定する。より詳しくは、洗濯機用台座３の高さが最も低くなるように調整脚７９を調整した状態において、間隙Ｃが排水ホースＨの直径ｄより大きくなるようにする（Ｃ＞ｄ）。
【００４９】
排水ホースＨは、洗濯機１の下部から、前部材２３、後部材２５及び左部材２７、右部材２９に囲まれた、洗濯機用台座３の内側の空間を経て、後部材２５の下端１０９と設置部１１１との間の間隙Ｃを通して外部に引き出される。
【００５０】
次に、調整脚７９について説明する。
【００５１】
調整脚７９は、図６に断面図で示すように、脚部１１３と固定用リング１１５とを備えている。脚部１１３は、金属製の脚部本体１１７と、ゴム等の弾性部材からなる弾性体１１９とから構成されている。脚部本体１１７は、下部に位置する円板形状の底板部１１７ａと、底板部１１７ａの中心から上方に向けて延びる軸部１１７ｂとを備えている。
【００５２】
軸部１１７ｂの外周には雄ねじが形成され、雄ねじは図３に示すナット７７にねじ込まれる。したがって、軸部１１７ｂの一方向への回転により雄ねじがナット７７にねじ込まれることで、台座本体１９が脚部１１３に対して下方に移動し、洗濯機用台座３の高さが低くなる。逆に、軸部１１７ｂの他方向への回転により雄ねじがナット７７から引き出される方向に移動すると、台座本体１９が脚部１１３に対して上方に移動し、洗濯機用台座３の高さが高くなる。四隅の調整脚７９を台座本体１９に対して適宜調整することで、洗濯機用台座３を設置部１１１に設置したときのガタを直すことができる。
【００５３】
弾性体１１９は、底板部１１７ａの全体及び軸部１１７ｂの下端部周囲を覆うように、脚部本体１１７に一体成形されている。すなわち、弾性体１１９は、底板部１１７ａの下部を覆う平板形状の下部１１９ａと、底板部１１７ａの上部を覆う平板形状の上部１１９ｂと、底板部１１７ａの側部を覆う環状の側部１１９ｃと、を備える。上部１１９ｂには、軸部１１７ｂが挿入される貫通孔１１９ｂｈが形成される。下部１１９ａと側部１１９ｃとの間の角部は、面取りされた傾斜面１１９ｄとなっている。
【００５４】
固定用リング１１５は、天板部１１５ａと、天板部１１５ａの外周縁から下方に向けて延びる円筒形状の外周板部１１５ｂとを備え、下部が開放している。天板部１１５ａの中心には、ねじ孔１１５ａ１が形成されている。ねじ孔１１５ａ１には、軸部１１７ｂの雄ねじが螺合している。
【００５５】
天板部１１５ａには、円筒形状のリブ１１５ｃが下方に向けて突出している。円筒形状のリブ１１５ｃの内側には、板状のリブ１１５ｄが円周方向に沿って等間隔に複数設けられている。これら各リブ１１５ｃ，１１５ｄの下端は、外周板部１１５ｂの下端よりも上方に位置している。リブ１１５ｃは、側部１１９ｃの外周面よりも軸部１１７ｂ側に位置している。このため、リブ１１５ｃの下端は上部１１９ｂに対向している。リブ１１５ｃの下端が上部１１９ｂにほぼ当接した状態では、弾性体１１９の上下方向の半分以上が、固定用リング１１５に対し下方に突出している。
【００５６】
前述したように、軸部１１７ｂをナット７７に対して回転させることで、洗濯機用台座３の高さが調整される。軸部１１７ｂを回転させる作業は、固定用リング１１５に対して下方に突出した部位の弾性体１１９を掴んで行う。洗濯機用台座３の高さを調整した後は、固定用リング１１５を、軸部１１７ｂの雄ねじに対して回転させて、台座本体１９の下面に当接させる。
【００５７】
固定用リング１１５の台座本体１９への当接位置は、左部材２７及び右部材２９の図４に示してある主として円形のリブ８１である。固定用リング１１５を台座本体１９に当接するように締結することで、脚部１１３を台座本体１９に固定することができる。弾性体１１９の硬さ及び厚さＴを適宜設定することで、稼働時での洗濯機１の振動をより効果的に抑制できる。
【００５８】
図１に示すように、洗濯機１の下面１３の四隅には、洗濯機調整脚１２１が設けられている。洗濯機調整脚１２１は、洗濯機１の高さを調整することができ、調整脚７９とほぼ同様な構造でよい。四隅の洗濯機調整脚１２１を洗濯機本体に対して適宜調整することで、洗濯機１を洗濯機用台座３に載せたときのガタを直すことができる。
【００５９】
図１のように、洗濯機１を洗濯機用台座３に載せた状態では、洗濯機１の平面視での矩形状の外形は、洗濯機用台座３の平面視での矩形状の外形とほぼ同等である。これにより、特に前方から見たときに、前カバー２１が前述した隙間Ｓを覆うことと相俟って、洗濯機用台座３が洗濯機１の一部のように見られ、外観品質が向上したものとなる。
【００６０】
洗濯機１を洗濯機用台座３に載せた状態で、洗濯機調整脚１２１は、前部材２３及び後部材２５の固定部３１ａ上に位置する。洗濯機調整脚１２１の固定部３１ａに対する位置は、洗濯機用台座３を平面視で見たときの四隅の角部近傍である。
【００６１】
前述したように、固定部３１ａ及び上壁５９の各上面は、外側壁６１、前壁６５及び後壁６７のそれぞれの上端面６１ａ，６５ａ，６７ａよりも僅かに低い位置にある。このため、固定部３１ａに載せられた洗濯機調整脚１２１は、固定部３１ａ及び上壁５９の各上面から上方に突出した位置にある上端面６１ａ，６５ａ，６７ａによって、洗濯機用台座３から外れるのが抑制される。
【００６２】
次に、作用効果を説明する。
【００６３】
本実施形態の洗濯機用台座３は、洗濯機用台座３に載せられた状態の洗濯機１の前後方向に沿って延在する左部材２７及び右部材２９と、洗濯機１の左右方向に沿って延在する前部材２３及び後部材２５と、を有する。左部材２７及び右部材２９と、前部材２３及び後部材２５とが、互いに組付けられた状態で上下方向に当接する上下当接部と、互いに組付けられた状態で水平方向に当接する水平当接部と、を備える。左部材２７及び右部材２９と、前部材２３及び後部材２５とは、前記上下当接部において皿ねじ３３により締結固定されると共に、前記水平当接部においてねじ４９により締結固定される。
【００６４】
この場合、左部材２７及び右部材２９、前部材２３及び後部材２５を、より小さな部材としてそれぞれ個別に成形できるので、成形型が小さいもので済み、全体が一体的でより大きな構造体の洗濯機用台座に比較して、製造が容易となる。個別に成形する左部材２７及び右部材２９と、前部材２３及び後部材２５とを、皿ねじ３３及びねじ４９によって容易に組み立て及び分解ができ、洗濯機用台座３として取扱いが容易なものとなる。
【００６５】
本実施形態の洗濯機用台座３は、一方の左部材２７及び右部材２９が樹脂製であり、他方の前部材２３及び後部材２５が金属製である。このため、全体を樹脂製とする場合に比較して、一部が金属製となるため強度、剛性が高く、全体を金属製とする場合に比較して、一部が樹脂製となるため軽量化できる。
【００６６】
本実施形態の洗濯機用台座３は、左部材２７及び右部材２９が互いに同形状のものとして左右両側に一対設けられ、前部材２３及び後部材２５が互いに同形状のものとして前後両側に一対設けられている。このため、左部材２７と右部材２９とを異なる形状とする場合及び、前部材２３と後部材２５とを異なる形状とする場合に比較して、製造コストを低く抑えることができ、生産性が向上する。
【００６７】
本実施形態の洗濯機用台座３は、洗濯機用台座３を設置部１１１に設置したときに形成される、後部材２５と設置部１１１との間の間隙Ｃが、洗濯機１から引き出される排水ホースＨの外径ｄよりも大きい。このため、洗濯機１の下部から引き出される排水ホースＨを、間隙Ｃを通して外部に引き出すことができる。
【００６８】
本実施形態の洗濯機用台座３は、左部材２７及び右部材２９が、外周側の側部に使用者の手指が入り込む凹部を備えている。凹部は、手指を下方から上方に向けて移動させたときに引っ掛かる切欠部６１ｂと、手指が内方へ侵入するのを抑える内部壁８７と、を備える。このため、切欠部６１ｂに手指を引っ掛けた状態で、洗濯機用台座３を、単独で、または、洗濯機１を載せた状態で、容易に移動させることができる。手指を凹部に入り込ませるときには、内部壁８７によって、手指が洗濯機１の下部に進入するのが抑制される。
【００６９】
本実施形態は、前側に位置する前部材２３の前面に前カバー２１が取り付けられる。前カバー２１は、前部材２３の上部の上端面６５ａに係止する係止爪１０３と、前部材２３の下部のねじ孔６５ｂにねじ１０７により締結固定するねじ挿入凹部１０５ａと、を備える。
【００７０】
この場合、係止爪１０３を前部材２３の上端面６５ａに係止させた状態で、ねじ１０７をねじ挿入凹部１０５ａに挿入してねじ孔６５ｂに締結することで、前カバー２１を前部材２３に容易に取り付けることができる。前カバー２１を前部材２３から取り外す作業は、ねじ１０７を外すことで容易にできる。
【００７１】
本実施形態は、左部材２７及び右部材２９は、外周側の上端に、洗濯機１が載置される載置面となる固定部３１ａから上方に向けて突出する上端面６１ａ，６５ａ，６７ａが形成されている。このため、固定部３１ａに載せられた洗濯機調整脚１２１は、固定部３１ａ及び上壁５９の各上面から上方に突出した位置にある上端面６１ａ，６５ａ，６７ａにより、洗濯機用台座３から外れるのを抑制できる。これにより、洗濯機用台座３は洗濯機１を安定して載せることができる。
【００７２】
以上、実施形態について説明したが、これらの実施形態は理解を容易にするために記載された単なる例示に過ぎず、当該実施形態に限定されるものではない。技術的範囲は、上記実施形態で開示した具体的な技術事項に限らず、そこから容易に導きうる様々な変形、変更、代替技術なども含む。
【００７３】
例えば、上記した実施形態では、洗濯機１としてドラム式を例にとって説明したが、洗濯物の投入口が上面に形成されている縦型の洗濯機を使用することもできる。
【００７４】
上記した実施形態では、左部材２７及び右部材２９を樹脂製、前部材２３及び後部材２５を金属製としているが、左部材２７及び右部材２９を金属製、前部材２３及び後部材２５を樹脂製としてもよい。また、左部材２７及び右部材２９、前部材２３及び後部材２５は、すべて樹脂製にしてもよく、すべて金属製としてもよい。
【００７５】
上記した実施形態では、前カバー２１に関し、係止爪１０３を上部に、ねじ挿入凹部１０５ａを下部に設けているが、係止爪１０３を下部に、ねじ挿入凹部１０５ａを上部に設けてもよい。
【００７６】
上記した実施形態では、左部材２７及び右部材２９の外周縁の上部に上方に突出する上端面６１ａ，６５ａ，６７ａを縁部として設けることで、洗濯機調整脚１２１の洗濯機用台座３からの外れを抑制している。上端面６１ａ，６５ａ，６７ａに代えて、前部材２３及び後部材２５の外周縁に、洗濯機調整脚１２１の洗濯機用台座３からの外れを抑制するための縁部を設けてもよい。
【符号の説明】
【００７７】
１  洗濯機
３  洗濯機用台座
２３  前部材（第２部材）
２５  後部材（第２部材）
２７  左部材（第１部材）
２９  右部材（第１部材）
３１ａ  固定部（上下当接部、載置面）
３３  皿ねじ（上下締結具）
４１，４５  前部材及び後部材の左屈曲部（左右当接部）
４３，４７  前部材及び後部材の右屈曲部（左右当接部）
４９  ねじ（水平締結具）
６１ｂ  切欠部（引っ掛かり部、凹部）
６３  左部材及び右部材の内側壁（左右当接部）
７１  被固定部（上下当接部）
８７  内部壁（侵入抑止部、凹部）
１１１  設置部
Ｃ  間隙
Ｈ  排水ホース
【図１】
2020089610.tif 000003
【図２】
2020089610.tif 000004
【図３】
2020089610.tif 000005
【図４】
2020089610.tif 000006
【図５】
2020089610.tif 000007
【図６】
2020089610.tif 000008